(57)【特許請求の範囲】
【請求項１】
後方に向けて平面視略ハ字状に広がる左右一対の支脚（２）の後方側から上方に向けて延びる左右一対の支柱（３）の上端側の間に回動自在に取り付けられている上下方向に延びる背もたれ部（４）であって、上端に掛合部（３４）を有すると共に、上端側背面に掛止部（３５）を有する背もたれ部
（４）と、
前記背もたれ部（４）の下端側から水平方向前方に延び、前端側両側壁に支持部材（９）を備えている座部（６）と、
上方に広がる側面視略Ｕ字状の湾曲した左右一対のレール部材（５）であって、一端側が背もたれ部（４）の側壁に上下方向摺動自在に取り付けられ、他端側が
座部（６）の前端側側壁に回動自在に取り付けられていると共に、当該レール部材（５）の下方向の湾曲部において前記支柱（３）の下端側に掛脱可能となっている左右一対のレール部材（５）と
で構成されることを特徴とするスタッキング可能な椅子。
【請求項２】
請求項１記載の椅子２脚を前後に並べ、後方の椅子（１１）の支脚（１２）を床面に当接させたまま、後方の椅子（１１）のレール部材（１５）の下方向の湾曲部における支柱（１３）の下端側への掛止状態を解除し、前方の椅子（１）の背もたれ部（４）上端側背面の掛止部（３５）に後方の椅子
（１１）の背もたれ部（１４）上端の掛合部（３４）を掛止し、後方の椅子（１１）の左右一対の支柱（１３）の上端側と背もたれ部（１４）との間の回転軸
（１７）を中心に、後方の椅子（１１）のレール部材（１５）を前方へ回転させ、
後方の椅子（１１）の座部（１６）前端側両側壁の支持部材（１９）を前方の椅子（１）のレール部材（５）下側面に当接させ、後方の椅子（１１）のレール部材（１５）の前方への回転を進行させて前方の椅子（１）を後方側へ後退させつつ上方に押し上げることによって、支脚（１２）が床面に当接したままでいる後方の椅子（１１）の上に前方の椅子（１）がスタッキングされることを特徴とする請求項１記載のスタッキング可能な椅子（１）。
【発明の詳細な説明】
【０００１】
【発明の属する技術分野】
この発明は、椅子に関し、特に、簡単にスタッキングすることができ、外観、形状も優れたスタッキング可能な椅子に関する。
【０００２】
【従来の技術】
従来、スタッキング可能な椅子は種々提案されているが、スタッキングに際しては、一方の椅子を他方の椅子の上まで持ち上げ、当該他方の椅子の上に積み重ねるのが一般的であり、スタッキングする椅子の脚数が増えるに連れて、過重な労力が必要になり、スタッキング困難となっていた。
【０００３】
【発明が解決しようとする課題】
本発明は、多くの力を要することなく、簡単にスタッキングすることのできる椅子であって、外観、形状も優れたスタッキング可能な椅子を提供することを目的としている。
【０００４】
なお、本明細書において用いるスタッキングとは、対象とする椅子の上に他の椅子を積み重ねること、及び、対象とする椅子の下に他の椅子を挿入し、当該対象とする椅子が前記挿入された他の椅子の上に積み重ねられることの双方の意義を有するものである。
【０００５】
【課題を解決するための手段】
この発明は、スタッキングに際して、スタッキングする椅子を上に持ち上げて、他の椅子の上に積み重ねるのではなく、上に積み上げられることになる椅子の脚
部下端を床面に当接させたまま、当該上に積み上げられることになる椅子の背もたれ部の上端側背面に、他の椅子の脚部下端を床面に当接させたまま、他の椅子の背もたれ部の上端側を掛止させ、当該他の椅子の脚部下端を床面に当接させたまま、当該他の椅子の脚部上端側に回動自在に取り付けられている他の椅子の背もたれ部下端側及びこれに連設されている座部を、前記上に積み上げられることになる椅子の方向へ、前記他の椅子の脚部上端側を回転中心として回転させ、テコの原理を利用し、脚部下端が床面に当接したままでいる前記他の椅子の上に、上に積み上げられることになる椅子をその脚部下端を床面から離して、持ち上げ得るようにして、前記課題を解決したのである。
【０００６】
【発明の実施の形態】
以下、添付図面を参照して本発明の好ましい実施の形態を説明する。
【０００７】
本発明の椅子１において上下方向に延びる背もたれ部４は、後方に向けて平面視略ハ字状に広がる左右一対の支脚２、２の後方側から上方に向けて延びる左右一対の支柱３、３の上端側の間に回動自在に取り付けられている。この背もたれ部４は、上端に掛合部としての開口部３４、上端側背面に掛止部としてのフック３５を有している。前記開口部３４とフック３５とは、前方の椅子１を後方の椅子１１（図３）の上にスタッキングする際に、図４図示のように後方の椅子１１の背もたれ部４の上端の開口部３４を、前方の椅子１の背もたれ部４の上端側背面のフック３５に掛止する際に使用されるものである。
【０００８】
この背もたれ部４の下端側からは、水平方向前方に座部６が延びている（図１）。座部６の前端側両側壁には、支持部材９が備えられており、この支持部材９は、
前方の椅子１を後方の椅子１１（図３）の上にスタッキングする際に、図５図示のように、後方の椅子１１の支持部材１９が前方の椅子１のレール部材５の下側面に当接し、前方の椅子１を矢示５５のように後方へ、かつ矢示５６のように上方へ移動させ、結果として、図５中、右斜め上方向へ前方の椅子１を持ち上げ、前方の椅子１を後方の椅子１１の上にスタッキングする際の、支持手段としての役割を果たすものである。そこで、前方の椅子１のレール部材５の下側面への当接、摺動を、過剰な摩擦抵抗を発生させず、かつ、安定的に行うことができるように、滑車などによって、この支持部材９を構成しておくことが望ましい。  本発明の椅子１は、更に、図１図示のように、上方向に広がる側面視略Ｕ字状の湾曲した左右一対のレール部材５を備えていえる。このレール部材５の一端側は、背もたれ部４の側壁に上下方向摺動自在に取り付けられ、他端側は座部６の前端側側壁に回動自在に取り付けられている。また、レール部材５は、その下方向の湾曲部において支柱３の下端側に掛脱可能となっている。
【０００９】
このレール部材５の下方向の湾曲部における椅子１の支柱３の下端側への掛止は、支柱３から内側に延びている突起３１に、レール部材５の掛止片３２、３３が掛止されて行われる。掛止片３２と突起３１との掛止によって、椅子の後方への回転が止められ、掛止片３３と突起３１との掛止によって、矢示５３（図２）で示される、椅子の前方への回転が止められる。
【００１０】
レール部材５は、図１に示すように、引っ張りバネ８によって常に、矢示５１で示す上方に付勢されており、レール部材５の下方向の湾曲部における椅子１の支柱３の下端側への掛止を解除する場合には、レール部材５を前記引っ張りバネ８の力に抗して矢示５２方向（図２）に押し下げて行う。レール部材５の一端側が背もたれ部４の側壁に上下方向摺動自在に取り付けられ、他端側が座部６の前端側側壁に回転軸６１を介して回動自在に取り付けられている理由は、前記のように、レール部材５を矢示５２方向（図２）に押し下げて、レール部材５の下方向の湾曲部における椅子１の支柱３の下端側への掛止を解除するためである。
【００１１】
以上説明したように構成されている本発明の椅子１のスタッキングは、以下のように行われる。
【００１２】
まず、本発明の椅子２脚を図３図示のように前後方向に並べる。この時点で、前方の椅子１の後方に向けて平面視略ハ字状に広がる左右一対の支脚２、２と、後方の椅子１１の後方に向けて平面視略ハ字状に広がる左右一対の支脚１２、１２との位置関係は、図９（ａ）図示のようになっている。
【００１３】
ここで、後方の椅子１１を矢示６０（図９（ａ））のように前方へ滑らせ、図９（ｂ）図示の状態にまで接近させ、後方の椅子１１の支脚１２を床面に当接させたまま、図２を用いて前述したように、後方の椅子１１のレール部材１５の下方向の湾曲部における後方の椅子１１の支柱１３の下端側への掛止状態を解除し、
図４図示のように、前方の椅子１の背もたれ部４の上端側背面のフック３５に後方の椅子１１の背もたれ部１４上端の開口部３４を掛止する。
【００１４】
次いで、後方の椅子１１の左右一対の支柱１３、１３の上端側と背もたれ部１４との間の回転軸１７を中心に、後方の椅子１１のレール部材１５を、矢示５４（図４）のように、前方へ回転させると、図５図示のように、後方の椅子１１の座部１６前端側両側壁の支持部材１９が前方の椅子１のレール部材５下側面に当接する。
【００１５】
なお、後方の椅子１１のレール部材１５を、矢示５４方向への回転運動を開始する前に、図４図示のように、後方の椅子１１のレール部材１５を後方（矢示５４と反対の方向）へ一度大きく回転させ、反動をつけてから、矢示５４方向へ回転させるとよい。
【００１６】
後方の椅子１１のレール部材１５の矢示５４で示す前方への回転を進行させると、前方の椅子１は矢示５５のように後退させられつつ、矢示５６のように上方に持ち上げられ、すなわち、これらの方向への運動が重ね合わされて、前方の椅子１は、図５中、右上方向に向けて斜めに持ち上げられ、図６、図７図示の状態を経て、支脚１２が床面に当接したままでいる後方の椅子１１の上にスタッキングされる（図８）。
【００１７】
スタッキング完了に際して、後方の椅子１１の引っ張りバネ１８の働きによって、後方の椅子１１のレール部材１５は矢示５７のように上方向に引っ張り上げられ、支柱１３から内側に延びている突起３１に、レール部材１５の掛止片３２、
３３が掛止され（図８）、後方の椅子１１の座板、レール部材１５は回動できなくなる。
【００１８】
前記のスタッキング動作において、図５に示したように、前方の椅子１の背もたれ部４の上端側背面のフック３５に後方の椅子１１の背もたれ部１４上端の開口部３４が掛止されている部分は、テコの原理における作用点１８の意義を有する。そして回転軸１７がテコの原理における支点の意義を有する。そこで、矢示５８の位置をテコの原理における力点として力を加えるより、矢示５９の位置をテコの原理における力点として力を加える方がより大きな力で矢示５４方向の回転運動を与えることができる。すなわち、２、３脚程度のスタッキングならば、矢示５８の位置で力を加え、それ以上の数のスタッキングの場合は、矢示５９の位置で力を加えることにより、より少ない力で、より効率的、効果的にスタッキングを行うことができる。
【００１９】
そこで、椅子の使用目的、大きさ、形状等を考慮して、より少ない力で、より効率的、効果的にスタッキングを行うことができるように、図５中、符号Ｈ１で表される「作用点」と「支点」との間の距離、符号Ｈ２、又は、符号Ｈ２＋符号Ｈ３で表される「支点」と「力点」との間の距離を適宜に調節して椅子１を構成しておけばよい。
【００２０】
また、本発明の椅子において、レール部材５のＲは、作用点１８（前方の椅子１の背もたれ部４の上端側背面のフック３５に後方の椅子１１の背もたれ部１４上端の開口部３４が掛止されている部分）を中心としたＲに形成しておくことが望ましい。このようにすることによって、図５の状態から図６、図７の状態を経て図８の状態にスタッキングされるまでの、後方の椅子１１の支持部材１９の働きによる、前方の椅子１の図５中、右斜め上方への持ち上げを効果的に行わせることができ、また、スタッキングされる前方の椅子１の横振れを防止して、水平を保つことが容易になる。
【００２１】
このレール部材５のＲは前記のように定められるものであるが、この特有のＲのために図１図示のように、デザイン的にも優れた椅子を提供することが可能になる。
【００２２】
以上、添付図面を参照して本発明の好ましい実施形態を説明したが、本発明は前述した実施形態に限定されるものではなく、特許請求の範囲に記載した技術的範囲において、種々に変更可能である。
【００２３】
【発明の効果】
本発明によれば、多くの力を要することなく、簡単にスタッキングすることのできる椅子を提供することができる。特に、本発明は、テコの原理を利用してスタッキングを行うものであるので、より少ない力で、より効率的、効果的にスタッキングを行うことのできる椅子を提供することができる。
【図面の簡単な説明】
【図１】本発明の椅子の側面図。
【図２】図１図示の椅子において、レール部材の下方向の湾曲部における支柱の下端側への掛止状態を解除した状態を表す側面図。
【図３】スタッキングを行うために本発明の椅子２脚を前後方向に並べ、後方の椅子を図２図示の状態としたときの側面図。
【図４】スタッキングを開始する状態の側面図。
【図５】スタッキング動作が進行し、後方の椅子の座部前端側両側壁の支持部材が前方の椅子のレール部材下側面に当接し始めた状態の側面図。
【図６】後方の椅子が図５図示の状態から更に前方に回転した状態を表す側面図。
【図７】後方の椅子が図６図示の状態から更に前方に回転した状態を表す側面図。
【図８】２脚の椅子のスタッキングが完了した状態の側面図。
【図９】  （ａ）  図３図示の状態における支脚の位置を表す平面図。
（ｂ）  図４図示の状態における支脚の位置を表す平面図。
【符号の説明】
１、１１    椅子
２、１２    支脚
３、１３    支柱
４、１４    背もたれ部
３４  開口部（掛合部）
３５  フック（掛止部）
６、１６    座部
９、１９    支持部材
５、１５      レール部材
１７    回転軸
６１    回転軸
【図１】
0004320749.tif 000002
【図２】
0004320749.tif 000003
【図３】
0004320749.tif 000004
【図４】
0004320749.tif 000005
【図５】
0004320749.tif 000006
【図６】
0004320749.tif 000007
【図７】
0004320749.tif 000008
【図８】
0004320749.tif 000009
【図９】
0004320749.tif 000010